Podtech/llm-jp-corpus-v4-ja_patent huggingface dataset:
【手続補正書】
【提出日】平成16年11月2日(2004.11.2)
【手続補正１】
【補正対象書類名】明細書
【補正対象項目名】０００４
【補正方法】変更
【補正の内容】
【０００４】
また、蓋体１３の内部には容器１２内の水が加熱された時に発生する蒸気を外部へ排出するための蒸気通路１８と、蒸気排出口１９と弁座室２０が設けられている。さらに、弁座室２０には全方向転倒時、すなわち、電気湯沸かし器がどの方向に転倒したときでも動作して弁口２０を閉じ、水の流れを遮断する逆止弁２２と、逆止弁２２を収容しかつ摺動させる弁座２３とが内包されている。
【手続補正２】
【補正対象書類名】明細書
【補正対象項目名】００４１
【補正方法】変更
【補正の内容】
【００４１】
本実施例と実施例１との相違点は、蒸気通路４５の一部に漏水を溜めるプール部５０を設けた点である。前方に傾斜時に逆止弁４７が動作した後に設けた弁口４６と逆止弁４７との間の隙間から万が一漏水しても、弁口４６と蒸気排出口３５との間の蒸気通路４５の一部に設けたプール部５０に弁口４６から漏水した水を溜めることができ、一定時間以内は外部に漏水する心配はさらに少なくなり、利便性が向上する。
【手続補正３】
【補正対象書類名】図面
【補正対象項目名】図５
【補正方法】変更
【補正の内容】
【図５】
2004194968.tif 000001
【手続補正４】
【補正対象書類名】図面
【補正対象項目名】図６
【補正方法】変更
【補正の内容】
【図６】
2004194968.tif 000002
【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
一つ或いは複数の異なる構成の部屋の画像が記憶された部屋画像記憶手段と、
操作対象となる一つ或いは複数の異なるアイテムの画像が記憶されたアイテム画像記憶手段と、
ユーザにより選択された上記部屋の画像を上記部屋画像記憶手段から読み出すと共に、ユーザにより選択されたアイテムの画像を上記アイテム画像記憶手段から読み出し、該ユーザの選択により読み出した部屋の画像に対して、該ユーザの選択により読み出したアイテムの画像を組み込んだかたちの全体画像を形成して表示手段に表示制御する表示制御手段と
を有する情報処理装置。
【請求項２】
一つ或いは複数の異なるキャラクタの画像が記憶されたキャラクタ画像記憶手段を有し、
上記表示制御手段は、ユーザにより選択された上記キャラクタの画像を上記キャラクタ画像記憶手段から読み出し、上記ユーザの選択により読み出した部屋の画像に対して、上記ユーザの選択により読み出した上記アイテムの画像、及び上記ユーザの選択により読み出した上記キャラクタの画像を組み込んだかたちの全体画像を形成して上記表示手段に表示制御すること
を特徴とする請求項１に記載の情報処理装置。
【請求項３】
上記表示制御手段は、上記全体画像内に組み込まれたアイテムのうち、操作手段の操作で選択されたアイテムの輪郭を高輝度で表示制御すること
を特徴とする請求項１又は請求項２に記載の情報処理装置。
【請求項４】
上記表示制御手段は、上記アイテムの輪郭を高輝度で表示した際に、そのアイテムが有する機能を示す補助的な画像を表示すること
を特徴とする請求項３に記載の情報処理装置。
【請求項５】
上記表示制御手段は、上記キャラクタを、上記輪郭を高輝度で表示したアイテムに近接した位置に表示すること
を特徴とする請求項３又は請求項４に記載の情報処理装置。
【請求項６】
上記表示制御手段は、一方のアイテムの情報を他方のアイテムにコピーすることが指定された際に、上記一方のアイテムから所定のオブジェクトを持ち上げ、この持ち上げたオブジェクトを、上記他方のアイテムに置く動作を行うように上記キャラクタを表示制御すること
を特徴とする請求項２から請求項５のうち、いずれか一項に記載の情報処理装置。
【請求項７】
上記オブジェクトは、上記一方のアイテムの情報の中からユーザにより選択が指示された情報に対応するオブジェクトであること
を特徴とする請求項６に記載の情報処理装置。
【請求項８】
上記表示制御手段は、一方のアイテムの情報を他方のアイテムにコピーすることが指定された際に、上記キャラクタの表示制御を行うと共に、上記他方のアイテムに対応して上記表示手段に表示される入力画面に対して、上記一方のアイテムの情報を貼り付けたかたちで表示すること
を特徴とする請求項６又は請求項７に記載の情報処理装置。
【手続補正２】
【補正対象書類名】明細書
【補正対象項目名】０３１６
【補正方法】変更
【補正の内容】
【０３１６】
「実施の形態の効果」
以上の説明から明らかなように、当該実施の形態の情報処理システムは、例えば電子番組表のデータを、遠隔操作する機器の予約設定を行う入力画面に貼り付けて用い、或いはスケジュール帳に貼り付けて用いる等のように、一つの情報を展開して複数の情報処理間（複数のシステム間）でシームレスに用いることができる。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
ディジタル映像記録装置とパソコンを接続し、パソコン上で映像の編集を行うシステムにおいて、
ディジタル映像記録装置は映像データとは別に再生順などの情報を含む管理データを持ち、その管理情報のみをパソコンに転送し、編集を行うことを特徴とするディジタルビデオ編集システム。
【請求項２】
ディジタル映像記録装置とパソコンを接続し、パソコン上で映像の編集を行うシステムにおいて使用可能なディジタル映像記録装置であって、
映像データとは別に再生順などの情報を含む管理データを持ち、その管理情報のみを前記パソコンに転送し、
前記パソコンで編集された管理情報を受信できることを特徴とするディジタル映像記録装置。
【手続補正書】
【提出日】平成16年7月23日(2004.7.23)
【手続補正１】
【補正対象書類名】明細書
【補正対象項目名】０００３
【補正方法】変更
【補正の内容】
【０００３】
このような構成の波形応答改善回路の動作を以下に説明する。
第１の遅延回路２ａの出力信号をｆ（ｔ）とし、各遅延回路での遅延時間をＤとすると、入力端子１における入力信号はｆ（ｔ−Ｄ）で表され、第２の遅延回路２ｂの出力信号はｆ（ｔ＋Ｄ）で表される。図７（ａ），（ｂ），（ｃ）は、これらの信号例の相互の位置関係を示すタイミングチャートである。信号ｆ（ｔ−Ｄ），ｆ（ｔ），ｆ（ｔ＋Ｄ）は一定時間Ｄずつずれている。減算回路８ｂは、〔信号ｆ（ｔ）の振幅〕−〔信号ｆ（ｔ＋Ｄ）の振幅〕を毎時刻演算し、絶対値回路９ｂはその演算結果の絶対値の信号２１ｂ（図７（ｅ））を出力する。同様に、減算回路８ａは、〔信号ｆ（ｔ）の振幅〕−〔信号ｆ（ｔ−Ｄ）の振幅〕を毎時刻演算し、絶対値回路９ａはその演算結果の絶対値の信号２１ａ（図７（ｄ））を出力する。
【手続補正２】
【補正対象書類名】明細書
【補正対象項目名】０００４
【補正方法】変更
【補正の内容】
【０００４】
比較器１０は、絶対値の信号２１ａと絶対値の信号２１ｂとを比較して、図７（ｆ）に示すスイッチング動作のように、信号２１ａ＜信号２１ｂのとき、切り換えスイッチ１１を端子ａに切り換えて、信号ｆ（ｔ−Ｄ）を出力させる。また、信号３７ａ＝信号３８ａのときは、切り換えスイッチ１１を端子ｂに切り換えて、信号ｆ（ｔ）を出力させる。さらに、信号２１ａ＞信号２１ｂのときは、切り換えスイッチ１１を端子ｃに切り換えて、信号ｆ（ｔ＋Ｄ）を出力させる。
その結果、出力端子７からは、図７（ｇ）に示す信号ｇ（ｔ）が出力される。この信号ｇ（ｔ）の波形は、立ち上がりの遅いカラー信号ｆ（ｔ）を立ち上がりの速い信号波形に補正した例である。これにより、カラー信号の立ち上がり時には立ち上がり時間が短くなり、立ち下がり時には立ち下がり時間が短くなる。
【手続補正３】
【補正対象書類名】明細書
【補正対象項目名】０００８
【補正方法】変更
【補正の内容】
【０００８】
第２の発明に係る波形応答改善回路において、輪郭信号生成手段は、入力信号を順次所定の時間ずつ遅延させて少なくとも２つ以上の遅延信号を出力する遅延回路と、上記入力信号と上記２つ以上の遅延信号とから輪郭信号を生成する演算手段とを有し、ゲイン制御手段は、加える割合を変化させた輪郭信号を、入力信号と少なくとも２つ以上の遅延信号のうちで、時間的に中心の位置に存在する遅延された映像信号に加算する加算手段とを備えたものである。
【手続補正４】
【補正対象書類名】明細書
【補正対象項目名】００２４
【補正方法】変更
【補正の内容】
【００２４】
したがって、演算器３には、入力信号ｆ（ｔ−ｎ・Ｄ）から第１の遅延回路２ａの出力信号ｆ（ｔ−（ｎ−１）・Ｄ）、・・・、第ｎ番目の遅延回路２ｃの出力信号ｆ（ｔ）、・・・、第２ｎ番目の遅延回路２ｄの出力信号ｆ（ｔ＋ｎ・Ｄ）までの２ｎ＋１個の信号が入力されることになる。演算器３において、入力信号と順次遅延された２ｎ個の遅延信号により輪郭信号が求められる。また、演算器３にはリミット値が入力されているので、求められた輪郭信号はリミット値にもとづきリミットがかけられる。
【手続補正５】
【補正対象書類名】明細書
【補正対象項目名】００３４
【補正方法】変更
【補正の内容】
【００３４】
表１に示されるように、演算器３の出力信号に、係数入力信号caigainの信号を掛けるのだが、映像信号の動きを示す動き判定信号ｍｖｄが‘１０００’以上で、入力信号の動き信号の大きさがある値より大きいと判断されたときは、係数入力信号caigainを２分の１倍した値を演算器３の出力に掛けて係数信号gainとして出力する。
また、動き判定信号mvdが‘１０００’より小さく、入力信号の動きがある値より小さいと判断されたときは、係数入力信号caigainをそのまま演算器３の出力に掛けるようになっているので、係数決定手段４は係数入力信号caigainを係数信号gainとして出力する。係数信号gainにしたがって、ゲイン調整手段５において信号ｂｐ（ｔ）にゲインを与えた信号ｂｇ（ｔ）は図５（ｅ）のようになる。図５（ｅ）は映像信号の動き信号がある値より大きいと判断されたときのゲイン調整手段５の出力ｂｇ（ｔ）である。
【手続補正６】
【補正対象書類名】図面
【補正対象項目名】図１
【補正方法】変更
【補正の内容】
【図１】
2001045331.tif 000001
【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
インタネットを介して伝送される電子メールを送受信するインタネット通信手段と、
受信した前記電子メールを携帯電話端末のブラウザで表示可能な形式に変換する携帯電話用フィルタ手段と、
前記変換された前記電子メールを携帯電話網を介して送出する携帯電話データ通信手段と
を有するゲートウェイ装置と、
前記ゲートウェイ装置によって変換された前記電子メールを受信するゲートウェイ通信手段と、
前記ゲートウェイ通信手段が受信した前記電子メールをブラウザを用いて表示する電子メール表示手段と
を有する携帯電話端末と
を備えたメール通知システム。
【請求項２】
インタネットを介して伝達される電子メールを受信するインタネット通信手段と、
受信した前記電子メールを携帯電話端末のブラウザで表示可能な形式に変換する携帯電話用フィルタ手段と、
前記変換された電子メールをブラウジング機能を有する携帯電話端末に携帯電話網を介して送出する携帯電話データ通信手段と
を備えたゲートウェイ装置。
【請求項３】
前記携帯電話用フィルタ手段は、
受信した前記電子メールをＨＴＭＬ形式またはＷＭＬ形式による記述形式に変換する、
請求項２記載のゲートウェイ装置。
【請求項４】
ゲートウェイ装置によって、携帯電話端末のブラウザで表示可能な形式に変換された電子メールを受信するゲートウェイ通信手段と、
前記ゲートウェイ通信手段が受信した前記電子メールをブラウザで表示する電子メール表示手段と
を備えた携帯電話端末。
【請求項５】
前記ゲートウェイ通信手段は、
ＨＴＭＬ形式またはＷＭＬ形式による記述形式に変換された前記電子メールを受信する、
請求項４記載の携帯電話端末。
【請求項６】
インタネットを介して伝送される電子メールを受信するインタネット通信手段と、
前記インタネット通信手段が受信した前記電子メールと携帯電話端末に表示する選択メニューとの記述形式を変換して結合した選択メニューを含む電子メールを生成する携帯電話用フィルタ手段と、
前記選択メニューを含む電子メールを携帯電話端末に送出する携帯電話データ通信手段と
を備えたゲートウェイ装置。
【請求項７】
前記選択メニューが、
イエス／ノーの簡易返信する返信用メニューである
請求項６記載のゲートウェイ装置。
【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
ａ）複数の光ファイバー・リボンを備え、
ｂ）これ等の各光ファイバー・リボンに、互いに対向する端部を持つ所定数の光ファイバーを設け、前記光ファイバー・リボン内の前記各光ファイバーの一端部を光受入れ端部とし、前記光ファイバー・リボン内の前記各光ファイバーの反対側端部を光伝送端部とし、
ｃ）前記複数の光ファイバー・リボンを、円筒形通路を形成するように横方向軸線のまわりに半径方向に配置し、前記光ファイバー・リボンの前記光受入れ端部を前記横方向軸線から実質的に等距離にし、前記円筒形通路を、化学反応を受ける検体を含む液体を入れる管を受入れる寸法にすることにより、前記化学反応により放出される化学ルミネセンス光が、前記光ファイバー・リボンの前記光受入れ端部を経て対応する前記各光伝送端部に進むことができるようにし、
ｄ）前記光ファイバー・リボンの半径方向配置と、前記横方向軸線から実質的に等距離の前記光受入れ端部部分の位置とを保持する保持手段を設けて成る、
化学ルミネセンス光を収集し、伝送する収集伝送装置。
【請求項２】
前記光ファイバー・リボンの半径方向配置を保持する前記手段が、取付けコアを備え、この取付けコア内に前記光ファイバー・リボンを支えた請求項１の収集伝送装置。
【請求項３】
前記取付けコアに、前記横方向軸線から半径方向に延びる複数のみぞ穴を設け、これ等の各みぞ穴が、前記各光ファイバー・リボンに対応することにより、前記各光ファイバー・リボンを、前記みぞ穴の各別の１つ内に収容するようにした請求項２の収集伝送装置。
【請求項４】
前記取付けコアに、前記横方向軸線のまわりに配置した複数の区分を設け、これ等の各区分を、半径方向に間隔を置くことにより、この半径方向の間隔が、前記光ファイバー・リボンを収容するようにした請求項２の収集伝送装置。
【請求項５】
前記区分を、円柱の扇形部分として形成した請求項４の収集伝送装置。
【請求項６】
前記区分用の実質的に耐光性のハウジングを備え、このハウジングに、前記円筒形通路に整合する１個の穴を形成して、前記管を前記円筒形通路内に配置するために、前記ハウジング内に収容することができるようにした請求項４の収集伝送装置。
【請求項７】
前記区分用の実質的に耐光性のハウジングを備え、このハウジングに、前記円筒形通路に整合する穴を形成して、前記管を、前記円筒形通路内に配置している間に前記ハウジング内に又このハウジングから外へ延長するために収容することができるようにした請求項４の収集伝送装置。
【請求項８】
前記光ファイバー・リボンの前記光伝送端部をケーブルの形で収集する収集手段を備えることにより、前記光伝送端部を前記ケーブルの端部として構成した請求項１の収集伝送装置。
【請求項９】
前記光ファイバー・リボンの前記光伝送端部を相互に分離した請求項１の収集伝送装置。
【請求項１０】
前記光ファイバー・リボンを経て伝送される化学ルミネセンス光を電子信号に変換するように、前記光ファイバー・リボンの光伝送端部と協動可能な光子計数器を備えた請求項１の収集伝送装置。
【請求項１１】
前記円筒形通路内に配置した管内の空気液体境界面を感知するように、前記光子計数器と協動可能な気泡検出器を備えた請求項１０の収集伝送装置。
【請求項１２】
前記光ファイバー・リボンの前記光受入れ端部を所定の横断面形状を持つバンドの形にした請求項１の収集伝送装置。
【請求項１３】
前記バンドの横断面形状を長方形にし、前記光受入れ端部を長方形にした請求項１２の収集伝送装置。
【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
末端基とモノマー繰り返し単位を有するポリマーであって、前記モノマー繰り返し単位の少なくともいくつかは電子ビーム放射、Ｘ線放射、又は遠紫外線放射の放射線源によって露光したときにポリマーの架橋又は鎖の延長を可能にするハロメチル置換基を有し、前記ポリマーは以下の一般式を有する前記ポリマー。
一般式
【化１】
1998090899.tif 000001
（式中ｘは０又は１の整数であり、Ｘはハロゲン原子を表し、ａ、ｂ、ｃ、及びｄはそれぞれ０乃至４の整数を表し、前記ポリマーの少なくともいくつかのモノマー繰り返し単位においてはａ、ｂ、ｃ、及びｄの少なくとも１つは１以上であり、ｎは繰返しモノマー単位の数を表す整数であり、Ａは以下の構造式又はこれらの混合物であり、
【化２】
1998090899.tif 000002
【化３】
1998090899.tif 000003
【化４】
1998090899.tif 000004
Ｂは以下の構造式又はこれらの混合物である）
【化５】
1998090899.tif 000005
【化６】
1998090899.tif 000006
【化７】
1998090899.tif 000007
【化８】
1998090899.tif 000008
【化９】
1998090899.tif 000009
式中ｖは１〜約２０の整数であり、
【化１０】
1998090899.tif 000010
式中ｚは２〜約２０の整数であり、
【化１１】
1998090899.tif 000011
式中ｕは１〜約２０の整数であり、
【化１２】
1998090899.tif 000012
【化１３】
1998090899.tif 000013
式中ｗは１〜約２０の整数であり、
【化１４】
1998090899.tif 000014
【化１５】
1998090899.tif 000015
【請求項２】
（ａ）ポリマーの架橋又は鎖の延長を可能にするハロメチル置換基を有する少なくとも数個のモノマー繰返し単位を含み、以下の一般式を有するポリマーを提供するステップを含み、（ｂ）前記ハロメチル基を介してポリマーの架橋又は鎖の延長を行うステップを含む、ポリマーの製造方法。
一般式
【化１６】
1998090899.tif 000016
（式中ｘは０又は１の整数であり、Ｘはハロゲン原子を表し、ａ、ｂ、ｃ、及びｄはそれぞれ０乃至４の整数を表し、前記ポリマーの少なくともいくつかのモノマー繰り返し単位においてはａ、ｂ、ｃ、及びｄの少なくとも１つは１以上であり、ｎは繰返しモノマー単位の数を表す整数であり、Ａは以下の構造式又はこれらの混合物であり、
【化１７】
1998090899.tif 000017
【化１８】
1998090899.tif 000018
【化１９】
1998090899.tif 000019
Ｂは以下の構造式又はこれらの混合物である）
【化２０】
1998090899.tif 000020
【化２１】
1998090899.tif 000021
【化２２】
1998090899.tif 000022
【化２３】
1998090899.tif 000023
【化２４】
1998090899.tif 000024
【化２５】
1998090899.tif 000025
【化２６】
1998090899.tif 000026
式中ｖは１〜約２０の整数であり、
【化２７】
1998090899.tif 000027
式中ｚは２〜約２０の整数であり、
【化２８】
1998090899.tif 000028
式中ｕは１〜約２０の整数であり、
【化２９】
1998090899.tif 000029
【化３０】
1998090899.tif 000030
式中ｗは１〜約２０の整数であり、
【化３１】
1998090899.tif 000031
【化３２】
1998090899.tif 000032
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
画像記憶媒体に記憶されている記憶画像を表す写真信号を生成する方法であって、
それぞれが光に応答して画像信号を生成する画素の長方形アレイを含むセンサ・アレイを設けるステップAと、
単調非一様強度分布を有する誘導ビームを設けるステップBと、
前記記憶画像のオブジェクト領域の画像を前記センサ・アレイ上に形成し、前記センサ・アレイの各画素に対応するフィクセルを、前記記憶画像の領域の小さな一部であり前記記憶画像に対する位置を有する前記オブジェクト領域内に画定するステップCと、
ほぼ前記オブジェクト領域にセンタリングされた誘導スポットを前記誘導ビームを使用して前記記憶画像上に形成することによって、前記記憶画像を誘導するステップDと、
前記オブジェクト領域および前記誘導スポットを用いて前記記憶画像を走査して前記記憶画像内にフィクセルを画定し、前記誘導スポットに応答して前記フィクセルから放出された光の累積を表す各フィクセルごとの写真信号を生成するステップEとを含み、
前記ステップEが、
前記オブジェクト領域および前記誘導スポットの前記位置を第１の軸に沿って前記記憶画像に対して連続的に変更して前記記憶画像のスライスを走査するステップEAと、
前記記憶画像の連続スライスを、前記第１の軸に直交する第２の軸に沿って走査する
ステップEBと、
前記記憶画像内の前記オブジェクト領域の各位置で、前記オブジェクト領域内の各フィクセルから放出された前記光に応答して前記画像信号を生成するように前記センサ・アレイを制御するステップECと、
前記記憶画像の各フィクセルごとに、該フィクセルが前記オブジェクト領域の内側にある前記記憶画像内の前記オブジェクト領域の各位置にある前記フィクセルから放出された前記光に応答して前記センサ・アレイによって生成されたすべての前記画像信号を累積して前記フィクセルに関する写真信号を生成するステップEDとを含む
画像記憶媒体内の記憶画像を表す写真信号の生成方法。
【請求項２】
前記ステップCにおいて、前記オブジェクト領域が幅を有し、
前記ステップDにおいて、前記誘導スポットが、強度とピーク強度と該強度輪郭の半径とを有し、前記強度が前記ピーク強度のｅ-2であり、
前記半径が、前記オブジェクト領域の前記幅の約３分の１である
請求項１に記載の画像記憶媒体内の記憶画像を表す写真信号の生成方法。
【請求項３】
前記ステップCにおいて、前記オブジェクト領域が幅を有し、
前記ステップEAにおいて、前記スライスが、前記オブジェクト領域の前記幅に等しい幅を有し、
前記ステップEBが、前記スライス同士を、前記スライスの前記幅の少なくとも半分のスライス重なり量だけ重ね合わせるステップを含む
請求項１に記載の画像記憶媒体内の記憶画像を表す写真信号の生成方法。
【請求項４】
前記スライス重なり量が、前記スライスの前記幅の４分の３とされた請求項３に記載の画像記憶媒体内の記憶画像を表す写真信号の生成方法。
【請求項５】
前記ステップBにおいて、単一ガウス強度分布を有する誘導ビームが設けられる請求項１に記載の画像記憶媒体内の記憶画像を表す写真信号の生成方法。
【請求項６】
前記ステップDにおいて、前記誘導スポットの強度が、前記オブジェクト領域の外側でほぼ零である請求項１に記載の画像記憶媒体内の記憶画像を表す写真信号の生成方法。
【請求項７】
前記ステップAにおいて、時間遅れ積分モードで動作するセンサが設けられる請求項１に記載の画像記憶媒体内の記憶画像を表す写真信号の生成方法。
【請求項８】
前記ステップAにおいて、前記画素が、行と列の二次元アレイとして構成され、該列が前記第１の軸に平行であるセンサ・アレイが設けられ、
前記ステップEが、
前記フィクセルが前記オブジェクト領域の内側に位置する前記記憶画像の各スライスを走査する際に、前記オブジェクト領域内の連続位置で前記フィクセルから放出された前記光に応答して前記センサ・アレイの１つの列内の前記画素によって生成されたすべての前記画像信号を累積し、前記フィクセルに関する累積画像信号を生成するステップと、
前記フィクセルに関して生成された前記累積画像信号を累積し、前記フィクセルに関する前記写真信号を生成するステップとを含む
請求項７に記載の画像記憶媒体内の記憶画像を表す写真信号の生成方法。
【請求項９】
前記ステップEが、
前記オブジェクト領域の内側に前記フィクセルが位置する前記記憶画像のスライスを走査する際に、前記フィクセルが前記オブジェクト領域の内側にある該オブジェクト領域および前記誘導スポットの連続位置で、前記フィクセルから放出された光に応答して前記センサ・アレイの１つの列内の前記画素によって生成されたすべての前記画像信号を累積し、前記フィクセルに関する前記写真信号を生成するステップを含む
請求項１に記載の画像記憶媒体内の記憶画像を表す写真信号の生成方法。
【請求項１０】
前記生成された前記写真信号が、記憶蛍光体に記憶されている潜像を表し、前記ステップBにおいて、赤外線の誘導ビームが設けられることを特徴とする
請求項１に記載の画像記憶媒体内の記憶画像を表す写真信号の生成方法。
【手続補正２】
【補正対象書類名】明細書
【補正対象項目名】００１８
【補正方法】変更
【補正の内容】
【００１８】
【発明が解決しようとする課題】
前述の既知の記憶蛍光体ベースの写真システムのうちで、長期的な記憶のために記憶蛍光体に記憶されている潜像を迅速にかつ簡単にかつ低コストで読み取る方法を与えるものはない。
【手続補正３】
【補正対象書類名】明細書
【補正対象項目名】００２２
【補正方法】変更
【補正の内容】
【００２２】
【課題を解決するための手段】
本発明は、画像記憶媒体に記憶されている記憶画像を表す写真信号を生成する方法を提供する。この方法では、センサ・アレイおよび誘導ビームが使用される。センサ・アレイは、画素の長方形アレイを含む。各画素は、光に応答して画像信号を生成する。誘導ビームは、単調非一様強度分布を有する。センサ・アレイ上に記憶画像のオブジェクト領域の画像が形成され、センサ・アレイの各画素に対応するフィクセルがオブジェクト領域内に画定される。オブジェクト領域は、記憶画像の領域の小さな一部であり、記憶画像に対する位置を有する。記憶画像は、誘導ビームを使用して記憶画像上に誘導スポットを形成することによって誘導される。誘導スポットは、オブジェクト領域にほぼセンタリングされる。記憶画像は、オブジェクト領域および誘導スポットを用いて走査される。これによって、記憶画像内にフィクセルが画定され、各フィクセルごとの写真信号が生成される。各フィクセルごとの写真信号は、誘導スポットに応答してフィクセルから放出される光の累積を表す。記憶画像を走査する際、オブジェクト領域および誘導スポットの位置が第１の軸に沿って記憶画像に対して連続的に変更され、記憶画像のスライス ( slice )が走査される。
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
電源の電圧を判定する装置であって、
加熱素子（302）と、
前記加熱素子（302）の温度を検出する検出手段と、
前記電源からの電力の一部を前記加熱素子（302）に供給し、前記検出手段を用いて前記加熱素子(302)の温度の変化速度を測定し、該変化速度に比例した前記電圧を判定する制御手段(400)と
からなる装置。
【請求項２】
前記制御手段(400)は前記電力を時間の経過とともに前記一部の値まで滑らかに増加させるように構成される、請求項１に記載の装置。
【請求項３】
前記制御手段（400）は更に前記加熱素子（302）の温度を動作温度に維持するように構成される、請求項１に記載の装置。
【請求項４】
前記制御手段（400）は前記加熱素子（302）の温度が最大電圧に対応する最大値未満に維持されるような前記電力の一部を選択するように構成される、請求項１に記載の装置。
【請求項５】
電源と、
加熱素子(302)と、
前記加熱素子(302)の温度を検出する検出手段と、
前記電源から前記加熱素子(302)に送られる電力の大きさを制御する制御手段(400)であって、前記電力を電源から得られる電力の一部まで滑らかに増加させ、前記検出手段を用いて前記加熱素子(302)の温度の変化速度を検出測定し、該変化速度を用いて前記電源の電圧を判定する制御手段(400)と
からなる装置。
【請求項６】
前記制御手段（400）は更に前記加熱素子（302）の温度を動作温度に維持するように構成される、請求項５に記載の装置。
【請求項７】
前記制御手段（400）は前記加熱素子（302）の温度が最大電圧に対応する最大値未満に維持されるような前記電力の一部を選択するように構成される、請求項５に記載の装置。
【請求項８】
画像生成装置用電源の電圧を判定する方法であって、
前記電源からの電力の一部を加熱素子（302）に送るステップ（1000、1001）と、
前記加熱素子（302）の温度の変化速度を測定するステップ（1002）と、
前記変化速度を用いて前記電圧を判定するステップと
からなる方法。
【請求項９】
電力を時間の経過とともに前記一部の値まで滑らかに増大させるステップを更に含む、請求項８に記載の方法。
【請求項１０】
前記時間が１秒以上である、請求項９に記載の方法。
【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
電力レベルが測定されるＲＦ信号を受信するよう結合された入射電力ポートと、平衡信号を受信するよう結合された比較ポートと、バイアス信号を受信するよう結合されたバイアス入力と、前記バイアス信号から得られ振幅が前記ＲＦ信号と前記平衡信号との電力レベルの差に比例して異なる第１及び第２の差信号が出現する第１及び第２の差出力と、を有して成る熱測定ブリッジと、
前記第１及び第２の差信号に結合されて、そこから平衡信号を発生し、該平衡信号の電力レベルを調整して、前記第１及び第２の差信号の振幅差を最小限に調整するサーボ回路と、
前記平衡信号に結合される入力と補償出力とを有する補償回路と、
それぞれ、一端が前記補償出力に結合され、他端はそれぞれ前記入射電力ポートと前記比較ポートとに結合されている第１及び第２のアイソレーション回路網と、
を備えて成り、
前記補償回路が、前記入射電力ポートと前記比較ポートとに等しい量の追加電力を供給することと、前記補償回路が、前記追加電力を調整して、前記追加電力と前記ＲＦ信号の電力と前記平衡信号の電力との合計が一定になるようにすることを特徴とするＲＦ電力計。
【請求項２】
前記第１及び第２のアイソレーション回路網が、抵抗値が等しい抵抗器であることを特徴とする請求項１に記載のＲＦ電力計。
【請求項３】
前記補償回路に、アナログ整形増幅器が含まれていることを特徴とする請求項１に記載のＲＦ電力計。
【請求項４】
前記平衡信号に結合されてデジタル電力レベル信号を発生するアナログ・デジタル変換器をさらに有し、前記補償回路に、前記デジタル電力レベル信号によってアドレス指定されデジタル補償値を送り出すルック・アップ・テーブルをさらに有し、入力が前記デジタル補償値に結合され、出力が前記補償出力に結合されたデジタル・アナログ変換器もさらに備えて成る請求項１に記載のＲＦ電力計。
【請求項５】
前記熱量測定ブリッジに熱的に結合された加熱抵抗と、
熱量測定ブリッジに熱的に結合された温度センサと、
温度センサに結合され、前記熱量測定ブリッジを一定の周囲温度に維持する温度コントローラと、
をさらに備えて成る請求項１に記載のＲＦ電力計。
【請求項６】
前記サーボ回路に積分器が含まれ、
前記ＲＦ電力計が、
前記ＲＦ信号が前記入射電力ポートに印加される前に、該ＲＦ信号に直列に結合され、前記入射電力ポートにおける前記ＲＦ信号の電力レベルを選択された時間にほぼゼロに低減する回路と、
前記選択された時間中に、前記ＲＦ信号に対して検出可能な最小の非ゼロ電力レベルに対応する選択された固定値が前記平衡信号用に前記サーボ回路によって発生されるようにするオフセット回路と、
前記サーボ回路内の誤差信号に結合され、前記選択された時間中に、前記バイアス入力と前記第１の差出力との間の分路における導電を変動させることによって、該誤差信号をゼロにゼロ調整し、別の時間中は、分路における導電を選択された時間中の最新値に維持するゼロ平衡回路と、
を備えて成ることを特徴とする請求項１に記載のＲＦ電力計。
【手続補正２】
【補正対象書類名】明細書
【補正対象項目名】００１３
【補正方法】変更
【補正の内容】
【００１３】
このために、適合する方向性結合器とすることが可能な、例えば、線路１８に生じるものより２０ｄＢ低い信号を抽出し、出力がＰＯＷＥＲ ＭＥＡＳＵＲＥＭＥＮＴ ＲＥＳＵＬＴＳ（電力測定結果）９と呼ばれる場合のある電力測定モジュール８に該信号を加えるサンプラ４について特に言及することにする。ＰＯＷＥＲ ＭＥＡＳＵＲＥＭＥＮＴ ＲＥＳＵＬＴＳ９は、ＲＥＣＥＩＶＥＲ ＲＥＳＵＬＴＳ１５と共に、ＤＵＴ２の性能の生測定値を構成するものとみなすことができる。これらの測定値は、プロトコル発生及び認識マシン１７によって解釈される。
【手続補正書】
【提出日】平成16年7月16日(2004.7.16)
【手続補正１】
【補正対象書類名】明細書
【補正対象項目名】００２９
【補正方法】変更
【補正の内容】
【００２９】
このＨＰＬＣ装置の特徴は、測定結果に応じてプリンタ１０に記録させるクロマトグラムの表示ゲインを自動的に設定することにある。具体的には、血液検体中にバリアントヘモグロビンを検出した場合、バリアントヘモグロビンの分画のピークが記録紙上に記録されるように、表示ゲインを１測定の途中で変更する。このような表示処理動作は、マイクロプロセサ１１がＲＯＭ１２に記憶されているプログラムを実行することにより実現される。
【手続補正２】
【補正対象書類名】明細書
【補正対象項目名】００３０
【補正方法】変更
【補正の内容】
【００３０】
上記表示処理動作の処理手順について、図２に示すフローチャートを参照しながら説明する。先ずマイクロプロセサ１１が、ＲＡＭ１３に格納された検出データに基づいて、バリアントヘモグロビンの分画のピークが存在するか否かを判断する（Ｓ１）。バリアントヘモグロビンの分画のピークが存在すれば（Ｓ１：ＹＥＳ）、バリアントヘモグロビンの分画のピークが記録紙上に記録されるように、ＨｂＡ１ｃ分画とＨｂＡｏ分画との間の時刻Ｔで表示ゲインが切り替えて、クロマトグラムの描画データを作成し（Ｓ２）、その描画データをプリンタ１０に出力する（Ｓ３）。これにより、記録紙上には図３に示すようなクロマトグラムが記録される。Ｓ１において、バリアントヘモグロビンの分画のピークが存在しなければ（Ｓ１：ＮＯ）、ＨｂＡ１ｃ分画のピークが記録紙上に記録されるように、表示ゲインを切り替えずにクロマトグラムの描画データを作成し（Ｓ４）、Ｓ３に進んでその描画データをプリンタ１０に出力する（Ｓ３）。これにより、記録紙上には図４に示すようなクロマトグラムが記録される。
【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
ガスクロマトグラフィーカラム、及びメイクアップガス源と共に使用される電子捕獲型検出装置であって、
入口開口部及び出口開口部を有するイオン化チャンバーと、
前記カラムと前記入口開口部との間に操作可能に接続されていて、カラム溶出物とメイクアップガスの流体流とを受け、且つ前記入口開口部を通して前記イオン化チャンバー中へ前記カラム溶出物と前記メイクアップガスの流体混合物を導くための試料注入系と、
前記イオン化チャンバーに組込まれていて、前記流体混合物に複数の熱電子を発生させ、これにより、前記流体混合物中に電子捕獲種が存在したときに前記熱電子と反応できるようにした電子源と、
前記流体混合物中における前記熱電子の濃度の連続的変化を検出するための、前記流体混合物に関して配置された陽極電極手段及びコレクタ電極手段と、
イオン化チャンバー中の前記流体混合物と前記陽極電極手段との間に挿入されていて、前記陽極電極手段をイオン電流から隠閉して、イオン判別を達成させるための手段を有する絶縁性部材とを含むことを特徴とする電子捕獲型検出装置。
【請求項２】
イオン化チャンバーの出口開口部に隣接して配置されていて、陽極チャンバー内部で且つ出口開口部に近接して陽極を配置するための手段を有し、よって前記陽極の部分がイオン化チャンバー中の流体混合物に近接して配置されるようにする陽極チャンバーと、
絶縁性部材が、前記陽極の前記部分と前記イオン化チャンバーとの間に配置されていて、それによって前記陽極が前記イオン化流体から実質的に遮蔽されるところのフローガイドとを、さらに含むことを特徴とする、請求項１に記載の電子捕獲型検出装置。
【請求項３】
前記陽極チャンバーは、パージガス流を受けるための入口ポートを包含し、且つ前記フローガイドは、前記陽極の前記部分に隣接して配置され、且つ前記パージガス流を受け且つその受けたパージガス流を前記部分と前記流体混合物の間に介在させるための手段を包含し、前記フローガイドは、前記イオン判別を増進するところの、前記部分の近傍から前記パージガスを実質的に排気するための手段をさらに包含することを特徴とする、請求項２に記載の電子捕獲型検出装置。
【請求項４】
前記陽極チャンバーと前記イオン化チャンバーが全体に円筒状で且つ同軸に配置され、前記陽極が前記陽極チャンバーと同心であり且つ前記イオン化チャンバーに近接して先端部が配置された細長い部材のように形成され、且つ前記フローガイドは上方及び下方の主側面を有する円板として形成され、前記下方側面は前記イオンチャンバーの上方境界に密接して形成され、且つ前記上方主側面は前記陽極チャンバーの下方境界に密接して形成され、前記円板は上方及び下方の主表面間を連絡し、そこに先端部を受け且つ中央孔を通し且つ前記先端部を越えてパージガスを導くための中央孔を有し、且つ前記円板は、パージガス流を排気するために、前記先端部から外して且つ前記円板の周辺部分を越えて前記パージガスを続いて導くための手段を有することを特徴とする、請求項３に記載の電子捕獲型検出装置。
【請求項５】
前記フローガイドは、アルミナから構成されることを特徴とする、請求項１に記載の電子捕獲型検出装置。
【請求項６】
前記電子源は、放射性同位元素であることを特徴とする、請求項１に記載の電子捕獲型検出装置。
【請求項７】
ガスクロマトグラフィーカラム及びメイクアップガス源と共に使用される電子捕獲型検出方法であって、
入口開口部と出口開口部とを有するイオン化チャンバーを供給するステップと、
前記入口開口部を通して前記イオン化チャンバー中へ流すべくカラム溶出物とメイクアップガスの流体混合物を生成するステップと、
前記イオン化チャンバーに組込まれていて、前記流体混合物中に一定の濃度の熱電子を発生させ、よって流体混合物中に電子捕獲種が存在すれば該熱電子と反応できるようにした電子源を作動するステップと、
前記流体混合物中における熱電子の濃度の連続的変化を検出するために、前記流体混合物に関して陽極電極手段とコレクタ電極手段とを配置するステップと、
前記陽極電極手段をイオン電流から隠閉して、よってイオン判別を達成するために、前記イオン化チャンバー中の前記流体混合物と前記陽極電極手段との間に絶縁性部材を挿入するステップとを含むことを特徴とする、電子捕獲型検出方法。
【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
光源と、該光源と投影平面との間の光路内に配置された所定数のレンズ素子を有する第１レンズプレート及び該第１レンズプレートと投影平面との間の光路内に配置された所定数のレンズ素子を有する第２レンズプレートとを具えるレンズプレート集積体とを具え、光源からの光を第１レンズプレートのレンズ素子によりこれらのレンズ素子と関連する第２レンズプレートのレンズ素子上に結像させ、第２レンズプレートのレンズ素子の光ビームを該第２レンズプレートのプリズム配置のレンズ素子により又はコンデンサレンズにより投影平面上で重畳させる光学投影装置において、第１レンズプレートの第１グループのレンズ素子及び第２レンズプレートの第１グループの関連するレンズ素子を具え、第１グループのこれらのレンズ素子を通過する光ビームが投影平面内の投影面に集束されるとともにこの投影面を照明し、且つ第１レンズプレートの第２グループのレンズ素子及び第２レンズプレートの第２グループの関連するレンズ素子を具え、第２グループのこれらのレンズ素子を通過する光ビームが投影平面の前方又は後方に位置する平面に集束されるとともに投影面の一部分のみを照明するよう構成されていることを特徴とする光学投影装置。
【請求項２】
第１レンズプレート及び第２レンズプレートの第２グループのレンズ素子を通過する光ビームにより照明される投影面部分は投影面の中心部にあることを特徴とする請求項１記載の光学投影装置。
【請求項３】
第１及び第２グループのレンズ素子が投影面と同一のアスペクト比を有することを特徴とする請求項１又は２記載の光学投影装置。
【請求項４】
第１レンズプレートの第２グループのレンズ素子が第１レンズプレートの第１グループのレンズ素子より小さいことを特徴とする請求項１〜３の何れかに記載の光学投影装置。
【請求項５】
第１レンズプレート上の第２グループのレンズ素子の少なくともいくつかは周辺部に配置されていることを特徴とする請求項４記載の光学投影装置。
【請求項６】
第１レンズプレート上の第１グループのレンズ素子及び第２レンズプレート上の関連するレンズ素子は、第１レンズプレート上の第２グループのレンズ素子及び第２レンズプレート上の関連するレンズ素子と異なる相互距離を有することを特徴とする請求項１〜３の何れかに記載の光学投影装置。
【請求項７】
第２レンズプレートと投影平面との間の光通路内に補正レンズを具え、この補正レンズが第１グループのレンズ素子から到来し、この補正レンズを通過する光ビームを投影平面に収束するとともに投影面を完全に照明するように変化させ、第２グループのレンズ素子から到来し、この補正レンズを通過しない光ビームは投影平面の前方又は後方に位置する平面に収束するとともに投影面を部分的のみ照明するよう構成されていることを特徴とする請求項１〜３の何れかに記載の光学投影装置。
【請求項８】
異なる偏光面内の入射光線に対し異なる光路長を有する偏光ビームスプリッタが光通路内に配置され、該ビームスプリッタが入射光を第２レンズプレート上の第１グループのレンズ素子に送出する光ビームと、第２レンズプレート上の第２グループのレンズ素子に送出する光ビームとに分割することをを特徴とする請求項１〜３の何れかに記載の光学投影装置。
【請求項９】
レンズプレートのレンズ素子の約２０〜５０％が第２グループに属するものであることを特徴とする請求項１〜８の何れかに記載の光学投影装置。
【請求項１０】
投影面が画像信号に応じて駆動されるＬＣＤ素子として実現され、少なくとも投影対物系及び画素投影スクリーンが前記ＬＣＤ素子の背後の光通路内に配置されていることを特徴とする請求項１〜９の何れかに記載の光学投影装置を含むビデオプロジェクタ。
【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
光路の途中に使用する光スイッチ素子であって、
その第１の表面に少なくとも二つの光導波路区画を有する導波路基板であって、その端が間隙と交差する第１および第２の導波路区画を備え、前記第１および第２の導波路区画は、前記表面に固定され且つ前記表面に全般的に平行である導波路基板と、
少なくとも一つのヒータを有するヒータ基板であって、第１のヒータが前記間隙と整列するように前記導波路基板に接合されているヒータ基板と、
前記間隙の内部にある排除可能な液体であって、前記第１のヒータに応答し、前記第１の導波路区画から前記第２の導波路区画までの光伝送が前記間隙の内部にある前記液体の有無によって決まるような屈折率を有する液体とを備えていることを特徴とする光スイッチ素子。
【請求項２】
前記第１のヒータは、前記導波路およびヒータ基板に固定され、前記第１のヒータが起動されると前記液体内に泡を形成し、それにより前記液体の前記間隙に対する変位を開始させることを特徴とする、請求項１に記載の光スイッチ素子。
【請求項３】
前記ヒータ基板は、前記第１のヒータを備えたジェット機構を備え、前記ジェット機構は前記第１のヒータが起動されると前記液体を前記間隙内部に射出するように設置されていることを特徴とする、請求項１に記載の光スイッチ素子。
【請求項４】
前記ヒータ基板は、前記第１のヒータを備えたジェット機構を備え、前記ジェット機構は前記第１のヒータが起動されると前記間隙から前記液体を放出するように設置されていることを特徴とする、請求項１に記載の光スイッチ素子。
【請求項５】
前記ヒータ基板は結合層により前記導波路基板に結合されていることを特徴とする、請求項１に記載の光スイッチ素子。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
光を流体容器の中の流体に供給する第１の光導管部と、
光源から与えられた光を受ける第２の光導管部と、
前記第１光導管部から前記第２光導管部まで前記流体容器の中の流体を通って延びる光路を備え、前記光路の長さは流体容器の中の流体のレベルと共に変化し、前記光路の長さの変化は前記第２光導管部における光強度に変化をもたらすことを特徴とする流体容器中の流体のレベルを示す信号を生成する流体レベル検出器。
【請求項２】
光を前記流体容器の中の流体に供給する第１の光導管部と、
光源により与えられる光を受ける第２の光導管部と、
ベース部材と、
前記ベース部材に移動可能に取付けられ、前記流体容器の充填状態に関連する外側方向に片寄せられた第１の位置と前記流体容器の低量状態に関連する互いに内側方向に圧縮された第２の位置を有する第１および第２の光導管部に連結された第１および第２のパドル状部材を備え、
前記第１の光導管部と前記流体容器中の流体を通る第２の光導管部との間の光路長は、第１の位置に関係する第１の長さと第２の位置に関係する第２の長さであることを特徴とする柔軟性のある流体容器の中の流体のレベルを示す信号を生成する流体レベル検出器。
【請求項３】
さらに流体を収容する柔軟性のある容器を備え、前記容器の形状は容器内部の流体の量と共に変化し、前記容器の形状の変化により光路の長さが変化することを特徴とする請求項１または２に記載の流体レベル検出器。
【請求項４】
さらに入射光路方向の光を受け、光を反射光路方向に向ける反射部材を備え、前記反射部材は、入射光路方向の前記第１の光導管部からの光を受け、光を反射光路方向の前記第２の光導管部の方に向けるように前記第１と第２の光導管部が設置されていることを特徴とする請求項１または２に記載の流体レベル検出器。
【請求項５】
前記反射部材は流体内に設置され、前記反射部材は、前記光検出器により検出される光のレベルがスレッシュホールドレベル以上となる第１の位置と、前記光検出器により検出される光のレベルがスレッシュホールドレベル以下になる第２の位置を有し、前記第１の位置は流体の正常状態に相当し、前記第２の位置は流体の低量状態に相当することを特徴とする請求項４に記載の流体レベル検出器。
【請求項６】
さらに流体を収容する柔軟性のある容器を備え、前記柔軟性のある容器は、前記柔軟性のある容器内部の流体のレベルと共に変化する形状を有し、前記柔軟性のある容器の形状の変化に伴って、光路長に変化を生ずるように前記反射部材は前記柔軟性容器に連結されていることを特徴とする請求項４に記載の流体レベル検出器。
【請求項７】
前記第１および第２の光導管部の一方は光ファイバ導管であることを特徴とする請求項１または２に記載の流体レベル検出器。
【請求項８】
さらに光を前記第１の光導管部に与える光源と前記第２の光導管部により受けられた光の強度を検出する光検器を備えることを特徴とする請求項１または２に記載の流体レベル検出器。
【請求項９】
さらに媒体にプリントするプリンタを備えており、前記流体容器にはインクが入っていて、低量インク状態を識別する信号を前記プリンタに与えることを特徴とする請求項１または２に記載の流体レベル検出器。
【請求項１０】
前記光の強度は前記光路長と流体の光学的特性に基づくことを特徴とする請求項１または２に記載の流体レベル検出器。
【請求項１１】
光を光路方向に供給する光供給導管と、
前記光供給導管によって与えられた光路方向の光を受ける受光導管とを備え、
光路は前記光供給導管から流体を通って前記受光導管まで延び、前記光路は、第１の流体レベルに関連する第１の光路長および対応する第１の光学的密度と、第２の流体レベルに関連する第２の光路長および対応する第２の光学的密度であって、前記第１の光学的密度とは異なる光学的密度とを有し、
前記受光導管は前記第１および第２の流体レベルを示した前記第１および第２の光学的密度を示す信号を生成することを特徴とする流体のレベルを示す出力信号を生成する流体レベル検出器。
【請求項１２】
前記光供給導管および受光導管は光ファイバ導管であることを特徴とする請求項１１記載の流体レベル検出器。
【請求項１３】
さらに入射光路方向の光を受け、光を反射光路方向に向ける反射部材を備え、前記反射部材は、前記入射光路方向の前記光供給導管からの光を受け、光を前記反射光路方向の前記受光導管の方に向けるように前記光供給導管と受光導管が設置されていることを特徴とする請求項１１記載の流体レベル検出器。
【請求項１４】
前記光の強度は前記光路長と流体の光学的特性に基づくことを特徴とする請求項１１に記載の流体レベル検出器。